(57)【要約】【課題】気密室内にエアコンを設置し、居住室を冷房運転した際に、居住室の冷気が外部に漏れることはなく、冷房効率を向上できる建物構造を提供することにある。【解決手段】建物外装体１５によって構成された躯体内空間１８の内部に、内装体としての内装下地材２８及び内装材３３によって囲まれた少なくとも１つ以上の気密室２６を設けたことを特徴とする建物構造にある。【選択図】　　　　　図１
2004052248.tif 000002
【特許請求の範囲】
【請求項１】
建物外装体によって構成された躯体内空間の内部に、内装体によって囲まれた少なくとも１つ以上の気密室を設けたことを特徴とする建物構造。
【請求項２】
前記気密室は、少なくとも床面と、壁面及び天井面によって囲まれた居住室であることを特徴とする請求項１記載の建物構造。
【請求項３】
前記気密室を構成する内装体の少なくとも１箇所に、前記気密室と前記躯体内空間とを適宜連通可能に開閉可能な内側通気口を設けたことを特徴とする請求項１または２記載の建物構造。
【請求項４】
前記躯体内空間を構成する前記建物外装体の少なくとも１箇所に、前記躯体内空間と建物外部を適宜連通可能に開閉可能な外側通気口を設けたことを特徴とする請求項１〜３のいずれかに記載の建物構造。
【請求項５】
前記躯体内空間を構成する前記建物外装体は、断熱材を含む構成であることを特徴とする請求項１〜４のいずれかに記載の建物構造。
【請求項６】
前記躯体内空間を構成する前記建物外装体は、少なくとも基礎コンクリート、断熱壁材及び断熱屋根材で構成されていることを特徴とする請求項１〜５のいずれかに記載の建物構造。
【請求項７】
前記気密室の気密性能（Ｃ値）が、該気密室の床面積当たり５ｃｍ２　／ｍ２　以下で、前記建物外装体によって構成された躯体内空間の気密性能（Ｃ値）が、建物の延床面積当たり５ｃｍ２　／ｍ２　以下であることを特徴とする請求項１〜６のいずれかに記載の建物構造。
【発明の詳細な説明】
【０００１】
【発明の属する技術分野】
この発明は、居住性を高めると同時に、冷暖房システムの負担を軽減し、省エネルギー化を図ることができる建物構造に関する。
【０００２】
【従来の技術】
木造または鉄骨木造の建物において、快適な居住空間を構成するとともに、冷暖房システムの負担を軽減し、省エネルギー化を図るために、建物の断熱躯体構造、壁材や屋根材等の断熱建材あるいは二重ガラス窓構造などの改良がなされており、昨今の建物における高気密、高断熱化技術の進歩によって室内侵入熱量を軽減し、熱貫流率（Ｗ／ｍ２・Ｋ）を下げ、冷房負荷を軽減して省エネルギー化を図っている。
【０００３】
例えば、特開平９−１３２９４４号公報は、基礎コンクリート、外装材、屋根からなる躯体内空間に、通気空間を介して床、内装材、天井によって囲まれる居住空間を構成した、断熱気密（防湿）層の室内側に通気層を持たない充填断熱工法が知られている。これは、躯体に床下換気口を設けるとともに、天井と屋根との間の屋根裏空間に換気口を設け、さらに通気空間に除湿装置及び送風機を設けたものである。
【０００４】
外装材及び内装材には断熱材を使用しており、外装材及び内装材の内面にはポリエチレン、ポリプロピレン等のフィルムからなる防湿材が貼り合わされ、半密閉空間を構成している。
【０００５】
また、冷房システムの負担は、室内の気密性及び断熱性を高めることである程度軽減できるが、壁、床、天井から熱伝導で伝わる熱量、窓ガラスからの熱伝導で伝わる熱量、窓ガラスからの侵入する太陽からの放射熱、さらに自然換気による熱量等の室内侵入熱量が冷房負荷となる。
【０００６】
例えば、特開平１０−４６６９４号公報、特開２０００−５４５１９号公報に示すように、高断熱、高気密化だけでなく、外被材と断熱材とからなる外装材の室内側に内側通気層を介して気密性の低い内装材によって囲まれた居住空間を設けた外張り断熱工法が知られている。この工法によれば、内側空気層の空気の流れが良好となり、空気が内側空気層から外部に抜け易くなり、夏は涼しく、梅雨時の湿気を低減できるという効果がある。
【０００７】
【発明が解決しようとする課題】
しかしながら、特開平１０−４６６９４号公報及び特開２０００−５４５１９号公報のものは、居住空間を構成する内装材は気密性（防湿性）を有していないのが普通である。また、このような外張り断熱工法では、通気層を換気や暖房、冷房の経路として利用するケースが多く、気密性を有しない内装材であるために送風機のよる空気の流れが明確でないという問題がある。また、通気層は夏季に床下、小屋裏の開口から外気に開放するケースが多く、内装材の隙間、特に１階床付近の隙間から床下に冷気が自然に漏れるという問題がある。
【０００８】
従って、居住空間にエアコンを設置し、居住空間を冷房した場合、居住空間を構成する内装材の隙間から冷気が逃げたり、通気空間内の暖気が居住空間に引き込まれ、冷房効率が低下するという問題がある。
【０００９】
また、特開平９−１３２９４４号公報のものは、居住空間の周囲に通気空間を備え、送風機によって強制循環させ、除湿装置によって除湿している。従って、構造体内部の湿潤化を防止できるが、内装材と断熱材との間に通気層を持たないために内装材の温度が非空調時に上昇しやすい。
【００１０】
この発明は、前記事情に着目してなされたもので、その目的とするところは、建物外装体によって構成された躯体内空間の内部に、内装体によって囲まれた気密室を設け、冷房時の気密室内の冷気の漏れを防止し、冷房効率を向上できる建物構造を提供することにある。
【００１１】
【課題を解決するための手段】
この発明は、前記目的を達成するために、請求項１は、建物外装体によって構成された躯体内空間の内部に、内装体によって囲まれた少なくとも１つ以上の気密室を設けたことを特徴とする。
【００１２】
請求項２は、請求項１の前記気密室は、少なくとも床面と、壁面及び天井面によって囲まれた居住室であることを特徴とする。
【００１３】
請求項３は、請求項１または２の前記気密室を構成する内装体の少なくとも１箇所に、前記気密室と前記躯体内空間とを適宜連通可能に開閉可能な内側通気口を設けたことを特徴とする。
【００１４】
請求項４は、請求項１〜３のいずれかの前記躯体内空間を構成する前記建物外装体の少なくとも１箇所に、前記躯体内空間と建物外部を適宜連通可能に開閉可能な外側通気口を設けたことを特徴とする。
【００１５】
請求項５は、請求項１〜４のいずれかの前記躯体内空間を構成する前記建物外装体は、断熱材を含む構成であることを特徴とする。
【００１６】
請求項６は、請求項１〜５のいずれかの前記躯体内空間を構成する前記建物外装体は、少なくとも基礎コンクリート、断熱壁材及び断熱屋根材で構成されていることを特徴とする。
【００１７】
請求項７は、請求項１〜６のいずれかの前記気密室の気密性能（Ｃ値）が、該気密室の床面積当たり５ｃｍ２　／ｍ２　以下で、前記建物外装体によって構成された躯体内空間の気密性能（Ｃ値）が、建物の延床面積当たり５ｃｍ２　／ｍ２　以下であることを特徴とする。
【００１８】
前記構成によれば、気密室は、床、壁及び天井等がシール材によって密閉された気密構造であるため、躯体内空間の内部を上昇する空気によって気密室内の空気が躯体内空間内に引き込まれたり、躯体内空間内の空気が気密室に侵入することはない。
【００１９】
従って、気密室内にエアコンを設置し、居住室を冷房運転した際に、居住室の冷気が外部に漏れることはなく、冷房効率を向上できる。
【００２０】
また、気密室の気密性能（Ｃ値）は、５ｃｍ２／ｍ２　望ましくは３ｃｍ２／ｍ２　とすることにより、躯体内の空気をファンによって換気しても気密室内の空気は引っ張らない。また、逆に気密室から躯体内の空気を引っ張られない。Ｃ＝５ｃｍ２／ｍ２　〜３ｃｍ２／ｍ２　の効果は、通気経路または換気経路を明確にできるレベルの気密性能である。
【００２１】
【発明の実施の形態】
以下、この発明の実施の形態を図面に基づいて説明する。
【００２２】
図１〜図４は第１の実施形態を示し、図１は建物の概略的縦断側面図、図２〜図４は気密室を構成する内装材の縦断側面図である。
【００２３】
図１に示すように、木造または鉄骨木造の建物の躯体１１は、基礎地盤１２に直接コンクリートを打設したベタ基礎１３を含む基礎コンクリート１４と、この基礎コンクリート１４の上部に建物外装体１５とから構成されている。建物外装体１５は、例えば、断熱壁材１６と断熱屋根材１７によって構成され、基礎コンクリート１４と断熱壁材１６及び断熱屋根材１７によって囲まれた躯体内空間１８が構成されており、各部材間の隙間から外気が入らないように適切に目地処理されている。従って、躯体内空間１８は断熱性と気密性が確保されている。なお、建物外装体１５は、断熱材のみならず、建物外部と躯体内空間とを気密に区画する合板や防湿気密シート等を含んでもよい。
【００２４】
基礎コンクリート１４はそれ自体で断熱性があるが、基礎地盤１２とベタ基礎１３との間に断熱材を介在してもよい。また、断熱壁材１６は、発泡樹脂、グラスウール等の断熱材１９の外側に外壁材２０を密着した構造である。さらに、断熱屋根材１７も同様に発泡樹脂、グラスウール等の断熱材２１の上面に屋根材２２を密着した構造である。図示しないが密着せず、外気に開放された通気層としてもよい。
【００２５】
基礎コンクリート１４には躯体１１の外部と躯体内空間１８とを連通させる複数個の外側通気口２３が設けられている。この外側通気口２３には開閉可能なダンパー２３ａが設けられている。さらに、断熱壁材１６の上部で、断熱屋根材１７の近傍にも躯体１１の外部と躯体内空間１８とを連通させる複数個の外側通気口２４が設けられている。この外側通気口２４には開閉可能なダンパー２４ａが設けられている。なお、ダンパー２３ａ，２４ａはともに閉鎖時には気密性を有する。
【００２６】
このように構成された躯体内空間１８の内部には居住室２５ａ，２５ｂを形成する気密室２６と非気密室２７が床根太（図示しない）によって支持された状態で独立して設けられている。気密室２６と非気密室２７の周囲は、基礎コンクリート１４と断熱壁材１６及び断熱屋根材１７と離間して設けられ、躯体内空間１８の内部に空気断熱層が形成されている。すなわち、気密室２６と非気密室２７が躯体１１から熱伝導で伝わる熱量、窓ガラスからの熱伝導で伝わる熱量、窓ガラスからの侵入する太陽からの放射熱等の室内侵入熱量を軽減させた構造である。
【００２７】
図２に示すように、気密室２６は、リビング、応接間、寝室等の居住室であって、例えば、合板、石膏ボード、合成樹脂パネル等の内装下地材２８を繋ぎ合わせることにより内装体としての床２９、壁３０及び天井３１が構成されている。さらに、内装下地材２８の継ぎ目２８ａ（目地）にはコーキング、パテ等のシール材３２が充填され、継ぎ目２８ａの隙間を封止している。さらに、壁３０及び天井３１の内装下地材２８の内面には内装材３３が密着した状態に設けられている。また、床２９にはフローリング材３４が敷設されている。
【００２８】
気密室２６には当然のことながらドアを有する出入口、窓等（図示しない）が設けられているが、出入口、窓等の外周縁部と内装下地材２８との結合部においてもコーキング、パテ等のシール材３２によって封止され、躯体内空間１８と空気の流通がない気密構造である。
【００２９】
また、気密室２６の気密性能（Ｃ値）は、５ｃｍ２　／ｍ２　望ましくは３ｃｍ２／ｍ２　とすることにより、躯体内の空気をファンによって換気しても気密室内の空気は引っ張られない。また、逆に気密室から躯体内の空気を引っ張らない。Ｃ値を高めて通気経路または換気経路を明確にすることで、計画した通気（換気）経路を計画した量の空気を動かすことが可能となる。
【００３０】
なお、合板、石膏ボード、合成樹脂パネル等の内装下地材２８を繋ぎ合わせ、その内装下地材２８の継ぎ目２８ａ（目地）にコーキング、パテ等のシール材３２を充填する代りに、図３に示すように、内装下地材２８を二重に重ね合わせた二重張り構造とし、継ぎ目２８ａ（目地）を互いにずらした目地ずらし構造とした状態で内装材３３を貼り合せてもよい。さらに、図４に示すように、内装下地材２８の内面に空気非透過性のフィルムやテープ等のシート材からなるシール材３５を敷設した状態で、内装材３３を貼り合わせてもよい。
【００３１】
また、図１に示す、非気密室２７は、トイレ、バスルーム等の部屋であり、基本的には気密室２６と同様に、例えば、合板、石膏ボード、合成樹脂パネル等の内装下地材を繋ぎ合わせることにより、床３６、壁３７及び天井３８が構成されている。しかし、内装下地材の継ぎ目（目地）にはコーキング、パテ、フィルム等によってシールされていない。従って、非気密室２７は、床３６、壁３７及び天井３８に通気性があり、躯体内空間１８と空気の流通がある。
【００３２】
前述のように構成された建物構造によれば、外側通気口２３，２４のダンパー２３ａ，２４ａを開放すると、外気は下部の外側通気口２３から躯体内空間１８内に侵入し、躯体内空間１８を上昇して上部の外側通気口２４から大気に排気される。
【００３３】
従って、気密室２６と非気密室２７の周囲に空気断熱層が形成され、しかも気密室２６と非気密室２７の周囲は基礎コンクリート１４、断熱壁材１６及び断熱屋根材１７によって囲まれている。このため、気密室２６と非気密室２７が躯体１１から熱伝導で伝わる熱量、窓ガラスからの熱伝導で伝わる熱量、窓ガラスからの侵入する太陽からの放射熱等の室内侵入熱量を軽減できる。
【００３４】
しかも、気密室２６は、床２９、壁３０及び天井３１がシール材３２によって密閉された構造であるため、躯体内空間１８の内部を上昇する空気によって気密室２６内の空気が躯体内空間１８内に引き込まれたり、躯体内空間１８内の空気が気密室２６に侵入することはない。
【００３５】
従って、気密室２６内にエアコンを設置し、居住室２５ａを冷房運転した際に、居住室２５ａの冷気が外部に漏れることはなく、冷房効率を向上できる。
【００３６】
図５は、第２の実施形態を示し、第１の実施形態と同一構成部分は同一番号を付して説明を省略する。
【００３７】
本実施形態は、躯体内空間１８の上部の小屋裏４０に換気扇４１を設置したものである。下部の外気通気口２３のダンパー２３ａを開放し、換気扇４１を駆動すると、躯体内空間１８内の空気は換気扇４１によって吸気されるため、躯体内空間１８内は負圧となる。従って、外気通気口２３から外気が強制的に吸い込まれ、躯体内空間１８を上昇して換気扇４１から排気される。
【００３８】
この場合、気密室２６内より躯体内空間１８が負圧となるが、気密室２６は気密構造であるため、気密室２６内の空気が躯体内空間１８内に引き込まれることはなく、気密室２６内にエアコンを設置し、居住室２５ａを冷房運転した場合においても、居住室２５ａの冷気が外部に漏れることはなく、冷房効率を向上できる。
【００３９】
図６は、第２の実施形態を示し、第１の実施形態と同一構成部分は同一番号を付して説明を省略する。
【００４０】
本実施形態は、気密室２６の壁３０の一部に内側通気口４２を設けるとともに、この内側通気口４２に開閉可能なダンパー４２ａを設け、さらに、気密室２６の壁３１の一部に内側通気口４３を設けるとともに、この内側通気口４３に開閉可能なダンパー４３ａを設けたものである。
【００４１】
本実施形態によれば、気密室２６のダンパー４２ａ，４３ａを開放することにより、躯体内空間１８内の空気を壁３０に設けた内側通気口４２から気密室２６に取り入れ、天井３１の内側通気口４３から排気することができる。従って、通常は密閉されていた気密室２６の空気を排気して非気密室にすることができる。
【００４２】
なお、前記実施形態においては、建物の躯体１１を構成する建物外装体１５を断熱壁材１６と断熱屋根材１７によって構成したが、断熱材で構成することに限定されるものではない。
【００４３】
【発明の効果】
以上説明したように、この発明によれば、気密室は、床、壁及び天井等がシール材によって密閉された構造であるため、躯体内空間の内部を上昇する空気によって気密室内の空気が躯体内空間内に引き込まれたり、躯体内空間内の空気が気密室に侵入することはない。従って、気密室内にエアコンを設置し、居住室を冷房運転した際に、居住室の冷気が外部に漏れることはなく、冷房効率を向上できる。
【００４４】
また、建物外装体を断熱材等で気密に構成することにより、建物外装体から熱伝導で伝わる熱量、窓ガラスからの熱伝導や隙間風で伝わる熱量、窓ガラスからの侵入する太陽からの放射熱等の室内侵入熱量を軽減でき、冷暖房システムの負担を軽減し、省エネルギー化を図ることができる。
【図面の簡単な説明】
【図１】この発明の第１の実施形態を示す建物の概略的縦断側面図。
【図２】同実施形態の気密室を構成する内装材の縦断側面図。
【図３】同実施形態の気密室を構成する内装材の縦断側面図。
【図４】同実施形態の気密室を構成する内装材の縦断側面図。
【図５】この発明の第２の実施形態を示す建物の概略的縦断側面図。
【図６】この発明の第３の実施形態を示す建物の概略的縦断側面図。
【符号の説明】
１１…躯体
１４…基礎コンクリート
１５…建物外装体
１６…断熱外壁材
１７…断熱屋根材
１８…躯体内空間
２６…気密室
２８…内装下地材
【図１】
2004052248.tif 000003
【図２】
2004052248.tif 000004
【図３】
2004052248.tif 000005
【図４】
2004052248.tif 000006
【図５】
2004052248.tif 000007
【図６】
2004052248.tif 000008